(57)【要約】  代替のビームペアリンクへの切替えを引き起こすための機構が提供される。端末デバイスが、ビームリンク障害についてのトリガ条件で設定される。方法が、端末デバイスによって実施される。方法は、現在のビームペアリンクを介したネットワークノードとの通信中に、通信のために現在のビームペアリンクの代わりに代替のビームペアリンクを使用する場合、通信の性能がより良好にビームペアリンクをハンドリングするであろうと推定することを含む。方法は、現在のビームペアリンクのビームリンク障害についてのトリガ条件が満たされることなしに、ネットワークノードに現在のビームペアリンクのビームリンク障害を報告することであって、それにより、代替のビームペアリンクへの切替えを引き起こす、ビームリンク障害を報告することを含む。【選択図】図３
2021525479.tif 000002
【特許請求の範囲】
【請求項１】
代替のビームペアリンク（１８０ｂ）への切替えを引き起こすための方法であって、前記方法が、端末デバイス（２００）によって実施され、前記端末デバイス（２００）に、ビームリンク障害についてのトリガ条件が設定され、前記方法は、
現在のビームペアリンク（１８０ａ）を介したネットワークノード（１７０ａ）との通信中に、前記通信のために前記現在のビームペアリンク（１８０ａ）の代わりに前記代替のビームペアリンク（１８０ｂ）を使用する場合、前記通信の性能がより良好であろうと推定すること（Ｓ１０２）と、
前記現在のビームペアリンク（１８０ａ）のビームリンク障害についての前記トリガ条件が満たされることなしに、前記ネットワークノード（１７０ａ）に前記現在のビームペアリンク（１８０ａ）のビームリンク障害を報告すること（Ｓ１０４）であって、それにより、前記代替のビームペアリンク（１８０ｂ）への前記切替えを引き起こす、ビームリンク障害を報告すること（Ｓ１０４）と
を含む、方法。
【請求項２】
前記ビームリンク障害が、ビーム障害回復要求において報告される、請求項１に記載の方法。
【請求項３】
前記代替のビームペアリンク（１８０ｂ）が、前記ビーム障害回復要求において識別される、請求項２に記載の方法。
【請求項４】
前記ネットワークノード（１７０ａ）から、報告された前記ビームリンク障害に対する応答を受信すること（Ｓ１０６）
をさらに含む、請求項１から３のいずれか一項に記載の方法。
【請求項５】
前記応答がビーム障害要求応答である、請求項４に記載の方法。
【請求項６】
前記応答が、前記代替のビームペアリンク（１８０ｂ）上で受信される、請求項４または５に記載の方法。
【請求項７】
前記推定することが、前記現在のビームペアリンク（１８０ａ）上で受信された少なくとも１つの第１の参照信号の第１の測定と、前記代替のビームペアリンク（１８０ｂ）上で受信された少なくとも１つの第２の参照信号の第２の測定とに基づく、請求項１から６のいずれか一項に記載の方法。
【請求項８】
各々、少なくとも１つの第１の参照信号の、少なくとも２つの第１の測定があり、各々、少なくとも１つの第２の参照信号の、少なくとも２つの第２の測定がある、請求項７に記載の方法。
【請求項９】
前記推定することが、前記少なくとも２つの第１の測定をフィルタ処理することと、前記少なくとも２つの第２の測定をフィルタ処理することとを含み、前記性能が、このように前記フィルタ処理された測定に基づく、請求項８に記載の方法。
【請求項１０】
前記フィルタ処理することが、経時的に前記測定を平均化することを含む、請求項９に記載の方法。
【請求項１１】
前記第１の参照信号が、前記現在のビームペアリンク（１８０ａ）上で受信された、チャネル状態情報参照信号であるかまたは同期信号ブロックの一部であり、前記第２の参照信号が、前記代替のビームペアリンク（１８０ｂ）上で受信された、別の同期信号ブロックの一部であるかまたは別のチャネル状態情報参照信号である、請求項７から１０のいずれか一項に記載の方法。
【請求項１２】
無線デバイス（２００）が、前記現在のビームペアリンク（１８０ａ）についての第１のビーム幅を有する第１のビーム（１６０ａ）と、前記代替のビームペアリンク（１８０ｂ）についての第２のビーム幅を有する第２のビーム（１６０ｂ）とを使用し、前記性能が、前記第１のビーム幅と前記第２のビーム幅との間の関係によってバイアスされる、請求項１から１１のいずれか一項に記載の方法。
【請求項１３】
前記無線デバイス（２００）が、所与の時間期間にわたって報告されることを許可されるビームリンク障害の数に関して制限される、請求項１から１２のいずれか一項に記載の方法。
【請求項１４】
前記性能が、参照信号受信電力、信号対雑音比、信号対干渉プラス雑音比、またはパスゲインに関して推定される、請求項１から１３のいずれか一項に記載の方法。
【請求項１５】
ビームリンク障害についての前記トリガ条件が、ブロック誤り率しきい値に関して与えられる、請求項１から１４のいずれか一項に記載の方法。
【請求項１６】
前記ブロック誤り率しきい値が、前記ネットワークノード（１７０ａ）からの物理ダウンリンク制御チャネルの前記無線デバイス（２００）における受信のブロック誤り率に関係する、請求項１５に記載の方法。
【請求項１７】
前記現在のビームペアリンク（１８０ａ）についての推定された性能が、ブロック誤り率値に対応する、請求項１から１６のいずれか一項に記載の方法。
【請求項１８】
前記現在のビームペアリンク（１８０ａ）の前記ビームリンク障害は、前記現在のビームペアリンク（１８０ａ）についての前記ブロック誤り率値が、前記ブロック誤り率しきい値を下回るときでも報告される、請求項１６または１７に記載の方法。
【請求項１９】
代替のビームペアリンク（１８０ｂ）への切替えを引き起こすための端末デバイス（２００）であって、前記端末デバイス（２００）に、ビームリンク障害についてのトリガ条件が設定され、処理回路（２１０）を備え、前記処理回路は、前記端末デバイス（２００）に、
現在のビームペアリンク（１８０ａ）を介したネットワークノード（１７０ａ）との通信中に、前記通信のために前記現在のビームペアリンク（１８０ａ）の代わりに前記代替のビームペアリンク（１８０ｂ）を使用する場合、前記通信の性能がより良好であろうと推定することと、
前記現在のビームペアリンク（１８０ａ）のビームリンク障害についての前記トリガ条件が満たされることなしに、前記ネットワークノード（１７０ａ）に前記現在のビームペアリンク（１８０ａ）のビームリンク障害を報告することであって、それにより、前記代替のビームペアリンク（１８０ｂ）への前記切替えを引き起こす、ビームリンク障害を報告することと
を行わせるように設定された、端末デバイス（２００）。
【請求項２０】
代替のビームペアリンク（１８０ｂ）への切替えを引き起こすための端末デバイス（２００）であって、前記端末デバイス（２００）に、ビームリンク障害についてのトリガ条件が設定され、
現在のビームペアリンク（１８０ａ）を介したネットワークノード（１７０ａ）との通信中に、前記通信のために前記現在のビームペアリンク（１８０ａ）の代わりに前記代替のビームペアリンク（１８０ｂ）を使用する場合、前記通信の性能がより良好であろうと推定するように設定された推定モジュール（２１０ａ）と、
前記現在のビームペアリンク（１８０ａ）のビームリンク障害についての前記トリガ条件が満たされることなしに、前記ネットワークノード（１７０ａ）に前記現在のビームペアリンク（１８０ａ）のビームリンク障害を報告することであって、それにより、前記代替のビームペアリンク（１８０ｂ）への前記切替えを引き起こす、ビームリンク障害を報告することを行うように設定された報告モジュール（２１０ｂ）と
を備える、端末デバイス（２００）。
【請求項２１】
請求項２から１８のいずれか一項に記載の方法を実施するようにさらに設定された、請求項１９または２０に記載の端末デバイス（２００）。
【請求項２２】
代替のビームペアリンク（１８０ｂ）への切替えを引き起こすためのコンピュータプログラム（７２０）であって、前記コンピュータプログラムが、コンピュータコードを備え、前記コンピュータコードは、ビームリンク障害についてのトリガ条件が設定された端末デバイス（２００）の処理回路（２１０）上で起動するとき、前記端末デバイス（２００）に、
現在のビームペアリンク（１８０ａ）を介したネットワークノード（１７０ａ）との通信中に、前記通信のために前記現在のビームペアリンク（１８０ａ）の代わりに前記代替のビームペアリンク（１８０ｂ）を使用する場合、前記通信の性能がより良好であろうと推定すること（Ｓ１０２）と、
前記現在のビームペアリンク（１８０ａ）のビームリンク障害についての前記トリガ条件が満たされることなしに、前記ネットワークノード（１７０ａ）に前記現在のビームペアリンク（１８０ａ）のビームリンク障害を報告すること（Ｓ１０４）であって、それにより、前記代替のビームペアリンク（１８０ｂ）への前記切替えを引き起こす、ビームリンク障害を報告すること（Ｓ１０４）と
を行わせる、コンピュータプログラム（７２０）。
【請求項２３】
請求項２２に記載のコンピュータプログラム（７２０）と、前記コンピュータプログラムが記憶されるコンピュータ可読記憶媒体（７３０）とを備えるコンピュータプログラム製品（７１０）。
【発明の詳細な説明】
【技術分野】
【０００１】
本明細書で提示される実施形態は、代替のビームペアリンクへの切替えを引き起こすための、方法、端末デバイス、コンピュータプログラム、およびコンピュータプログラム製品に関する。
【背景技術】
【０００２】
通信ネットワークにおいては、所与の通信プロトコル、そのパラメータ、および通信ネットワークが配置されている物理環境に対して、良好な性能および容量を取得するための難題があることがある。
【０００３】
たとえば、将来世代の移動体通信ネットワークのために、多くの異なるキャリア周波数における周波数帯域が必要とされ得る。たとえば、低いそのような周波数帯域は、無線デバイスのための十分なネットワークカバレッジを達成するために必要とされ得、（たとえば、ミリメートル波長（ｍｍＷ）、すなわち、３０ＧＨｚ付近および３０ＧＨｚ超における）より高い周波数帯域は、必要とされるネットワーク容量に達するために必要とされ得る。大まかに言えば、高い周波数において無線チャネルの伝搬特性はより困難であり、十分なリンクバジェットに達するためにネットワークのネットワークノードと無線デバイスの両方におけるビームフォーミングが必要とされ得る。
【０００４】
予想される高い伝搬損失を補償するために、そのような高い周波数において、狭いビームの送信および受信方式が必要とされ得る。所与の通信リンクについて、それぞれのビームが、（ネットワークノードまたはその送信および受信ポイント（ＴＲＰ）によって表される）ネットワーク端と、（端末デバイスによって表される）端末端の両方において適用され得、これは一般に、ビームペアリンク（ＢＰＬ）と呼ばれる。ビーム管理プロシージャの１つのタスクは、ビームペアリンクを発見および維持することである。（ネットワークノードによって使用されるビームと端末デバイスによって使用されるビームとによって規定される）ＢＰＬは、ビーム管理のために使用されるチャネル状態情報参照信号（ＣＳＩ−ＲＳ）または同期信号ブロック（ＳＳＢ）信号など、ダウンリンク参照信号に関する測定値を使用して、ネットワークによって発見され、監視されることが予想される。
【０００５】
ビーム管理のための参照信号は、周期的に、半永続的に、または非周期的に（イベントトリガ型）送信され得、ビーム管理のための参照信号は、複数の端末デバイス間で共有されるか、またはデバイス固有であるかのいずれかであり得る。端末デバイスが好適なネットワークノードビームを見つけるために、ネットワークノードは、異なる送信（ＴＸ）ビーム中で参照信号を送信し、端末デバイスは、参照信号受信電力（ＲＳＲＰ）など、その参照信号に対する測定を実施し、Ｎ個の最良のＴＸビームを折り返し報告する（ただし、Ｎはネットワークによって設定され得る）。さらに、所与のＴＸビーム上での参照信号の送信は、端末デバイスが好適な受信（ＲＸ）ビームを評価することを可能にするために繰り返され得る。
【０００６】
しばらくすると、現在のＢＰＬのビームが、端末デバイスとネットワークノードとの間の通信のために、何らかの品質基準に関して、もはや最良でないことがあり得る。
【０００７】
したがって、ＢＰＬの効率的なハンドリングが必要である。
【発明の概要】
【０００８】
本明細書の実施形態の目的は、特に、現在のＢＰＬのビームが、端末デバイスとネットワークノードとの間の通信のために、何らかの品質基準に関して、もはや最良でないシナリオにおいて、ＢＰＬの効率的なハンドリングを提供することである。
【０００９】
第１の態様によれば、代替のビームペアリンクへの切替えを引き起こすための方法が提示される。本方法は、端末デバイスによって実施される。端末デバイスには、ビームリンク障害についてのトリガ条件が設定される。本方法は、現在のビームペアリンクを介したネットワークノードとの通信中に、通信のために現在のビームペアリンクの代わりに代替のビームペアリンクを使用する場合、通信の性能がより良好であろうと推定することを含む。本方法は、現在のビームペアリンクのビームリンク障害についてのトリガ条件が満たされることなしに、ネットワークノードに現在のビームペアリンクのビームリンク障害を報告することであって、それにより、代替のビームペアリンクへの切替えを引き起こす、ビームリンク障害を報告することを含む。
【００１０】
第２の態様によれば、代替のビームペアリンクへの切替えを引き起こすための端末デバイスが提示される。端末デバイスには、ビームリンク障害についてのトリガ条件が設定される。端末デバイスは、処理回路を備える。処理回路は、端末デバイスに、現在のビームペアリンクを介したネットワークノードとの通信中に、通信のために現在のビームペアリンクの代わりに代替のビームペアリンクを使用する場合、通信の性能がより良好であろうと推定することを行わせるように設定される。処理回路は、端末デバイスに、現在のビームペアリンクのビームリンク障害についてのトリガ条件が満たされることなしに、ネットワークノードに現在のビームペアリンクのビームリンク障害を報告することであって、それにより、代替のビームペアリンクへの切替えを引き起こす、ビームリンク障害を報告することを行わせるように設定される。
【００１１】
第３の態様によれば、代替のビームペアリンクへの切替えを引き起こすための端末デバイスが提示される。端末デバイスには、ビームリンク障害についてのトリガ条件が設定される。端末デバイスは、現在のビームペアリンクを介したネットワークノードとの通信中に、通信のために現在のビームペアリンクの代わりに代替のビームペアリンクを使用する場合、通信の性能がより良好であろうと推定するように設定された推定モジュールを備える。端末デバイスは、現在のビームペアリンクのビームリンク障害についてのトリガ条件が満たされることなしに、ネットワークノードに現在のビームペアリンクのビームリンク障害を報告することであって、それにより、代替のビームペアリンクへの切替えを引き起こす、ビームリンク障害を報告することを行うように設定された報告モジュールを備える。
【００１２】
第４の態様によれば、代替のビームペアリンクへの切替えを引き起こすためのコンピュータプログラムであって、コンピュータプログラムが、コンピュータプログラムコードを備え、コンピュータプログラムコードが、端末デバイス上で起動するとき、端末デバイスに、第１の態様による方法を実施させる、コンピュータプログラムが提示される。
【００１３】
第５の態様によれば、第４の態様によるコンピュータプログラムと、コンピュータプログラムが記憶されるコンピュータ可読記憶媒体とを備えるコンピュータプログラム製品が提示される。コンピュータ可読記憶媒体は、非一時的コンピュータ可読記憶媒体であり得る。
【００１４】
有利には、これは、ビームペアリンクの効率的なハンドリングを可能にする。
【００１５】
有利には、これは、現在のビームペアリンクのビームが、端末デバイスとネットワークノードとの間の通信のために、何らかの品質基準に関して、もはや最良でないシナリオの効率的なハンドリングを提供する。
【００１６】
有利には、これは、端末デバイスが、端末デバイスのための改善された性能につながることになる、より良好なビームペアリンクが存在することをネットワークノードに効率的な様式で指示することを可能にする。
【００１７】
同封の実施形態の他の目標、特徴、および利点は、以下の詳細な開示から、添付の従属請求項から、ならびに図面から明らかとなるであろう。
【００１８】
概して、特許請求の範囲において使用されるすべての用語は、本明細書で別段明示的に規定されない限り、本技術分野におけるその通例の意味に従って解釈されるべきである。「１つの（ａ／ａｎ）／その（ｔｈｅ）エレメント、装置、構成要素、手段、モジュール、ステップなど」へのすべての言及は、別段明示的に述べられていない限り、そのエレメント、装置、構成要素、手段、モジュール、ステップなどの少なくとも１つの事例を指すようにオープンに解釈されるべきである。本明細書で開示されるいずれの方法のステップも、明示的に述べられていない限り、開示される厳密な順序で実施される必要はない。
【００１９】
次に、例として、添付の図面を参照しながら、本発明の概念が説明される。
【図面の簡単な説明】
【００２０】
【図１】実施形態による通信ネットワークを示す概略図である。
【図２】実施形態による通信ネットワークを示す概略図である。
【図３】実施形態による方法のフローチャートである。
【図４】一実施形態による方法のシグナリング図である。
【図５】一実施形態による端末デバイスの機能ユニットを示す概略図である。
【図６】一実施形態による端末デバイスの機能モジュールを示す概略図である。
【図７】一実施形態によるコンピュータ可読記憶媒体を備えるコンピュータプログラム製品の一例を示す図である。
【発明を実施するための形態】
【００２１】
本発明の概念のいくつかの実施形態が示された添付の図面を参照しながら、次に、本発明の概念が以下でさらに十分に説明される。しかしながら、本発明の概念は、多くの異なる形態で具現化され得、本明細書に記載される実施形態に限定されるものとして解釈されるべきではなく、むしろ、これらの実施形態は、本開示が徹底的かつ完全であり、本発明の概念の範囲を当業者に十分に伝えるように、例として提供される。同様の番号は、説明全体にわたって同様のエレメントを指す。破線によって示される任意のステップまたは特徴は、随意と見なされるべきである。
【００２２】
図１は、本明細書で提示される実施形態が適用され得る、通信ネットワーク１００を示す概略図である。通信ネットワーク１００は、第３世代（３Ｇ）通信ネットワーク、第４世代（４Ｇ）通信ネットワーク、または第５世代（５Ｇ）通信ネットワークであり、適用可能な場合に、任意の３ＧＰＰ通信規格をサポートすることができる。
【００２３】
通信ネットワーク１００は、無線アクセスネットワーク１１０における少なくとも１つの端末デバイス２００にネットワークアクセスを提供するように設定されたネットワークノード１７０ａを備える。無線アクセスネットワーク１１０は、コアネットワーク１２０に動作可能に接続される。コアネットワーク１２０は、インターネットなど、サービスネットワーク１３０に動作可能に接続される。端末デバイス２００は、それにより、ネットワークノード１７０ａのＴＲＰ１４０ａを介して、サービスネットワーク１３０のサービスにアクセスすることと、サービスネットワーク１３０とデータを交換することとを可能にされる。
【００２４】
ネットワークノード１７０ａの例は、無線アクセスネットワークノード、無線基地局、基地トランシーバ局、ノードＢ、エボルブドノードＢ、ｇノードＢ、アクセスポイント、およびアクセスノード、およびバックホールノードである。端末デバイス２００の例は、無線デバイス、移動局、モバイルフォン、ハンドセット、無線ローカルループ電話、ユーザ機器（ＵＥ）、スマートフォン、ラップトップコンピュータ、タブレットコンピュータ、ネットワーク搭載センサー、ネットワーク搭載車両、およびいわゆるモノのインターネットデバイスである。
【００２５】
ネットワークノード１７０ａは、ビーム１５０ａ中で端末デバイス２００と通信するように設定され、端末デバイス２００は、ビーム１６０中でネットワークノード１７０ａと通信するように設定される。さらに、ネットワークノード１７０ａおよび端末デバイス２００は、本明細書では概して、異なるビームパターンを有すると呼ばれる、異なる形状および幅を有する様々なビームを使用して互いと通信するように設定され得る。
【００２６】
上述のように、所与の通信リンクについて、それぞれのビームが、（ネットワークノード１７０ａまたはＴＲＰ１４０ａによって表される）ネットワーク端と、（端末デバイス２００によって表される）端末端の両方において適用され得、これは一般に、ビームペアリンク（ＢＰＬ）と呼ばれる。ただし、この点において、いくつかの実施形態および例示的な例は、端末デバイス２００が、ビームフォーミングを実装し、２つまたはそれ以上のビーム１６０中で送信および／または受信するように設定されることを表すが、以下で開示される実施形態は、１つの単一のビーム中でのみ通信するように設定された端末デバイス２００のために等しく適用可能である。その場合、（たとえば、現在のＢＰＬを規定する）第１のＢＰＬが、ネットワーク側における第１のビームと端末側における単一のビームとによって規定され、（たとえば、代替のＢＰＬを規定する）第２のＢＰＬが、ネットワーク側における第２のビームと端末側における同じ単一のビームとによって規定されるように、少なくとも２つのビームがネットワーク側において生成され得ると仮定される。
【００２７】
上述のように、しばらくすると、ＢＰＬのビームが、端末デバイス２００とネットワークノード１７０ａとの間の通信のために、ある品質基準に関して、もはや最良でないことがあり得る。それらの一例は、ビームリンク障害が発生することである。（シグナリングオーバーヘッドに関して）はるかにコストがかかり、時間がかかる、無線リンク障害（ＲＬＦ）をハンドリングするための回復プロシージャに依拠する代わりに、ビームリンク障害をハンドリングするためのビーム回復プロシージャが使用され得る。ビーム回復プロシージャの目的は、現在のＢＰＬ上での通信が、ビームリンク障害を生じる妨害に遭遇する場合に、代替のＢＰＬを見つけることである。ビーム回復プロシージャは、次に開示される。
【００２８】
ビーム障害検出：端末デバイス２００は、ネットワークノード１７０ａのＴＲＰ１４０ａによって送信された（チャネル状態情報信号（ＣＳＩ−ＲＳ）または同期信号ブロック（ＳＳＢ）の一部などの）専用参照信号を監視することによってビーム障害を検出し、トリガ条件が満たされたかどうかを査定する。トリガ条件は、物理ダウンリンク制御チャネルについてのブロック誤り率しきい値に基づき得る。したがって、端末デバイス２００は、受信された参照信号に関する測定値を、対応するブロック誤り率値に変換し、この値をブロック誤り率しきい値と比較する。Ｍ個の連続する測定オケージョン（ここで、Ｍは整数であり、ここで、Ｍの値は設定可能である）について、対応するブロック誤り率値がブロック誤り率しきい値を上回る場合、トリガ条件が満たされる（すなわち、ビームリンク障害が宣言される）。
【００２９】
新しい代替のビーム識別：ビームリンク障害の後に代替のＢＰＬを迅速に見つけるために、端末デバイス２００は、現在のビーム以外の他のビーム上でも、ネットワークノード１７０ａのＴＲＰ１４０ａによって送信された（ＳＳＢまたは周期的ＣＳＩ−ＲＳなどの）ビーム識別参照信号を常に監視し得る。端末デバイスは、それにより、これらの測定に基づいて、代替のＢＰＬのために、ＴＲＰ１４０ａにおいて使用されるべき好ましい代替のビームならびに端末デバイス２００によって使用されるべき好ましい代替のビームを決定することを可能にされる。
【００３０】
ビーム障害回復要求送信：端末デバイスがビームリンク障害を宣言し、新しい代替のビームが決定されたとき、端末デバイスは、ネットワークノードに向かってビーム障害回復要求（ＢＦＲＱ）を送信して、ビームリンク障害に関してネットワークに通知する。ＢＦＲＱは、ＴＲＰ１４０ａにおいて使用されるべき好ましい代替のビームに関してネットワークノードに暗黙的に知らせる。
【００３１】
応答監視：端末デバイスは、ビームリンク回復プロシージャを終わらせるために、新しい代替のビームペアリンク上でのネットワークノードからのビーム障害回復要求応答を監視する。
【００３２】
トリガ条件が満たされない場合でも、端末デバイスが代替のＢＰＬに切り替えることが有利であり得ることが了解された。たとえば、妨害により、現在のＢＰＬ上での通信の品質が、ビームリンク障害についてのトリガ条件が満たされる程度まで劣化することなしに、現在のＢＰＬ上での通信が妨害に遭遇することにより、代替のＢＰＬが現在のＢＰＬよりも良好であることがあり得る。ブロッキングおよび干渉が、そのような妨害の２つの例である。ブロッキングは、６ＧＨｚ以上において、ネットワークノードのＴＲＰと端末デバイスの両方において使用される狭いビーム、ならびにこれらの高い周波数における高い透過損失および回折損失により、特に一般的であり得る。
【００３３】
ここで、図１のものと同様の通信ネットワーク１００ａ、１００ｂを概略的に示す図２の（ａ）および（ｂ）が参照されるが、ここで、これらの通信ネットワーク１００ａ、１００ｂの概念の妨げにならないように、無線アクセスネットワーク１１０、コアネットワーク１２０、およびサービスネットワーク１３０が削除されている。図２の（ａ）と（ｂ）の両方において、ネットワークノード１７０ａと端末デバイス２００とが、現在のＢＰＬ１８０ａを規定するビーム１５０ａａ、１６０ａ中で通信する。さらに、図２の（ａ）と（ｂ）の両方において、ネットワークノード１７０ａと端末デバイス２００とは、ビーム１５０ａｂ、１６０ｂによって規定された代替のＢＰＬ１８０ｂを有する。代替のＢＰＬ１８０ｂを介した通信が、物体１９０ｂにおいて反射される。
【００３４】
図２の（ａ）のシナリオでは、物体１９０ａが、現在のＢＰＬ１８０ａを部分的にブロックし、部分的に反射しているが、図２の（ｂ）のシナリオでは、物体１９０ａは、現在のＢＰＬ１８０ａを反射しているにすぎない。図２の（ｂ）のシナリオでは、さらなるネットワークノード１７０ｂが、ＴＲＰ１４０ｂを介して、ビーム１５０ｂａ、１５０ｂｂ中で送信しており、ここで、ビーム１５０ｂａ上での送信が物体１９０ｃにおいて反射され、その送信が、方向１９５に沿って、端末デバイスのビーム１６０ａ中での受信に干渉することを引き起こす。さらなるネットワークノード１７０ｂのＴＲＰ１４０ｂからの送信が、それにより、現在のＢＰＬ１８０ａに干渉している。
【００３５】
これらの両方のシナリオでは、図２の（ａ）のシナリオにおけるブロッキングも、図２の（ｂ）のシナリオにおける干渉も、ビームリンク障害をトリガするための基準が満たされるほどには強くない場合でも、現在のＢＰＬ１８０ａから代替のＢＰＬ１８０ｂに切り替えることが有利であり得る。
【００３６】
したがって、本明細書で開示される実施形態は、代替のビームペアリンク１８０ｂへの切替えを引き起こすための機構に関する。そのような機構を取得するために、端末デバイス２００と、端末デバイス２００によって実施される方法と、たとえばコンピュータプログラムの形態で、コードを備えるコンピュータプログラム製品とが提供され、コードは、端末デバイス２００上で起動するとき、端末デバイス２００に方法を実施させる。
【００３７】
図３は、代替のビームペアリンク１８０ｂへの切替えを引き起こすための方法の実施形態を示すフローチャートである。方法は、端末デバイス２００によって実施される。端末デバイス２００には、ビームリンク障害についてのトリガ条件が設定される。方法は、有利には、コンピュータプログラム７２０として提供される。
【００３８】
端末デバイス２００は、現在のビームペアリンク１８０ａを介してネットワークノード１７０ａとの進行中の通信を有すると仮定される。通信は、制御シグナリングまたはデータシグナリングに関係し得る。他の態様では、現在のビームペアリンク１８０ａは、制御シグナリングまたはデータシグナリングの潜在的な将来の送信および／または受信のために維持されるにすぎず、通信は、したがって、ネットワークノード１７０ａによって送信された参照信号の端末デバイス２００における受信に関係する。さらに、端末デバイス２００が、少なくとも１つの代替のビームペアリンク１８０ｂの性能を推定するための機構を採用すると仮定される。詳細には、端末デバイス２００は、ステップＳ１０２を実施するように設定される。
【００３９】
Ｓ１０２：端末デバイス２００は、現在のビームペアリンク１８０ａを介したネットワークノード１７０ａとの通信中に、通信のために現在のビームペアリンク１８０ａの代わりに代替のビームペアリンク１８０ｂを使用する場合、通信の性能がより良好であろうと推定する。
【００４０】
代替のビームペアリンク１８０ｂを使用する場合、通信がより良好であろうと推定すると、端末デバイス２００は、ネットワークノード１７０ａに偽（ｆａｌｓｅ）ビームリンク障害を報告する。詳細には、端末デバイス２００は、ステップＳ１０４を実施するように設定される。
【００４１】
Ｓ１０４：端末デバイス２００は、ネットワークノード１７０ａに現在のビームペアリンク１８０ａのビームリンク障害を報告する。ビームリンク障害は、現在のビームペアリンク１８０ａのビームリンク障害についてのトリガ条件が満たされることなしに報告される。端末デバイス２００は、それにより、代替のビームペアリンク１８０ｂへの切替えを引き起こす。
【００４２】
それにより、偽ビームリンク障害をトリガすることによって、端末デバイス２００は、追加のビーム管理の必要なしに、ネットワークノード１７０ａに、端末デバイス２００と、現在のビームペアリンク１８０ａを介して通信することから代替のビームペアリンク１８０ｂを介して通信することに切り替えることを行わせる。
【００４３】
端末デバイス２００は、それにより、実際のトリガ条件が満たされないとき、ただし、他の理由で、代替のビームペアリンク１８０ｂによって規定される別のビームペアリンクがより良好な性能を生じることが予想されるとき、偽ビームリンク障害を宣言するように設定される。
【００４４】
次に、端末デバイス２００によって実施される代替のビームペアリンク１８０ｂへの切替えを引き起こすことのさらなる詳細に関係する実施形態が開示される。
【００４５】
ステップＳ１０４において、端末デバイス２００がビームリンク障害を報告するための異なるやり方があり得る。代替形態によれば、ビームリンク障害は、ビーム障害回復要求において報告される。
【００４６】
オーバーヘッドシグナリングを最小限に抑えるために、ビーム障害回復要求は、代替のビームペアリンク１８０ｂを識別し得る。したがって、一実施形態によれば、代替のビームペアリンク１８０ｂは、ビーム障害回復要求において識別される。この点において、代替のビームペアリンク１８０ｂは、代替のビームペアリンク１８０ｂ上でネットワークノード１７０ａから受信された参照信号を参照するかまたは指すビーム障害回復要求によって暗黙的に指示され得る。
【００４７】
ネットワークノード１７０が、報告されたビームリンク障害に反応するための異なるやり方があり得る。いくつかの態様では、ネットワークノード１７０ａは、端末デバイス２００に応答する。詳細には、一実施形態によれば、端末デバイス２００は、（随意の）ステップＳ１０６を実施するように設定される。
【００４８】
Ｓ１０６：端末デバイス２００は、ネットワークノード１７０ａから、報告されたビームリンク障害に対する応答を受信する。
【００４９】
異なるタイプの応答があり得る。いくつかの態様では、ネットワークノード１７０ａは、ビーム障害要求応答で応答する。したがって、一実施形態によれば、ステップＳ１０６において受信された応答は、ビーム障害要求応答である。
【００５０】
ネットワークノード１７０が応答を送るための異なるやり方があり得る。オーバーヘッドシグナリングを最小限に抑えるために、ネットワークノード１７０ａは、代替のビームペアリンク１８０ｂ中でビーム障害要求応答を送り得る。したがって、一実施形態によれば、応答は、代替のビームペアリンク１８０ｂ上で受信される。
【００５１】
端末デバイス２００とネットワークノード１７０ａとは、次いで、代替のビームペアリンク１８０ｂ上で通信を続け得る。
【００５２】
端末デバイス２００が性能を推定するための異なるやり方があり得る。いくつかの態様では、性能は、端末デバイス２００によって、現在のビームペアリンク１８０ａ上でおよび代替のビームペアリンク１８０ｂ上で受信された参照信号から推定される。詳細には、一実施形態によれば、（ステップＳ１０２における）推定することは、現在のビームペアリンク１８０ａ上で受信された少なくとも１つの第１の参照信号の第１の測定と、代替のビームペアリンク１８０ｂ上で受信された少なくとも１つの第２の参照信号の第２の測定とに基づく。
【００５３】
端末デバイス２００が、たとえば、高速フェージングにより、現在のビームペアリンク１８０ａ上で単一の参照信号を受信し、代替のビームペアリンク１８０ｂ上で単一の参照信号を受信することが十分でないことがある。したがって、いくつかの態様では、端末デバイス２００は、無線伝搬チャネルが安定していることを確認するために、ビームリンク障害を宣言する前に複数の参照信号を受信するように設定される。詳細には、一実施形態によれば、各々、少なくとも１つの第１の参照信号の、少なくとも２つの第１の測定があり、各々、少なくとも１つの第２の参照信号の、少なくとも２つの第２の測定がある。
【００５４】
さらに、測定のフィルタ処理が、高速フェージングなど、短期的影響を除去し得る。したがって、一実施形態によれば、（ステップＳ１０２において）推定することは、少なくとも２つの第１の測定をフィルタ処理することと、少なくとも２つの第２の測定をフィルタ処理することとを含む。性能は、その場合、このようにフィルタ処理された測定に基づく。
【００５５】
測定のフィルタ処理のために使用される、異なるタイプのフィルタがあり得る。いくつかの態様では、フィルタはローパスフィルタである。したがって、一実施形態によれば、フィルタ処理は、経時的に測定を平均化することを含む。したがって、端末デバイス２００は、異なるビームペアリンクの性能のより信頼できる推定を取得するために、ある時間期間にわたって測定をフィルタ処理し得る。
【００５６】
端末デバイス２００が現在のビームペアリンク１８０ａ上でおよび代替のビームペアリンク１８０ｂ上で受信する、参照信号の異なる例があり得る。一例によれば、第１の参照信号は、現在のビームペアリンク１８０ａ上で受信された、ＣＳＩ−ＲＳであるかまたはＳＳＢの一部であり、第２の参照信号は、代替のビームペアリンク１８０ｂ上で受信された、別のＳＳＢの一部であるかまたは別のＣＳＩ−ＲＳである。この点において、それは、第１の参照信号がＣＳＩ−ＲＳであり、第２の参照信号がＳＳＢの一部であるようなものであり得るが、他の代替も可能である。
【００５７】
さらに、端末デバイス２００によって使用されるビーム１６０ａ、１６０ｂの幅が、通信の性能に影響を及ぼし得る。したがって、現在のビームペアリンク１８０ａについて端末デバイス２００によって使用されるビーム１６０ａと、代替のビームペアリンク１８０ｂについて端末デバイス２００によって使用されるビーム１６０ｂとが、異なる幅のものであり得るので、現在のビームペアリンク１８０ａが最良であるのか、代替のビームペアリンク１８０が最良であるのかを推定するとき、これらのそれぞれの幅間の関係が考慮に入れられ得る。この点において、より広いビームが、狭いビームよりも良好であることがあり得る。したがって、性能は、狭いビームよりも、広いビームを優先するようにバイアスされ得る。詳細には、一実施形態によれば、無線デバイス２００は、現在のビームペアリンク１８０ａについての第１のビーム幅を有する第１のビーム１６０ａと、代替のビームペアリンク１８０ｂについての第２のビーム幅を有する第２のビーム１６０ｂとを使用し、性能は、第１のビーム幅と第２のビーム幅との間の関係によってバイアスされる。当業者が理解するように、メインローブの幅など、ビームの幅を測定するための異なるやり方があり得る。しかしながら、本明細書で開示される実施形態は、第１のビーム１６０ａの幅が第２のビーム１６０ｂの幅と同様のやり方で測定される限り、ビームの幅のいかなる特定の尺度にも限定されない。同じことが、同じく通信の性能に影響を及ぼし得る、ネットワークノード１７０のＴＲＰ１４０ａによって使用されるビーム１５０ａａ、１５０ａｂの幅にも適用される。したがって、端末デバイス２００がビーム１５０ａａ、１５０ａｂの幅の知識を有する場合、これらのビーム幅間の関係も、性能をバイアスするために使用され得、ここで、性能は、狭いビームよりも、広いビームを優先するようにバイアスされ得る。
【００５８】
端末デバイス２００は、ビームリンク障害についてのトリガ条件が満たされることなしに、ビームリンク障害を報告するように設定されるが、端末デバイス２００が、どのくらい多く、またはどのくらいの頻度で、ビームリンク障害を報告することを許可されるかに対するいくつかの限定が依然としてあり得る。たとえば、所与の時間期間中に、ビーム変更の数に対する限定があり得る。詳細には、一実施形態によれば、無線デバイス２００は、所与の時間期間にわたって報告されることを許可されるビームリンク障害の数に関して制限される。
【００５９】
性能を推定するための異なる基準があり得る。非限定的な例によれば、性能は、参照信号受信電力（ＲＳＲＰ）、信号対雑音比（ＳＮＲ）、信号対干渉プラス雑音比（ＳＩＮＲ）、またはパスゲインに関して推定される。すなわち、端末デバイス２００が、代替のビームペアリンク１８０ｂが現在のビームペアリンク１８０ａよりも良好であるとどのように推定するかは、（ＳＩＮＲの場合など）干渉推定を伴って、または（ＳＮＲまたはパスゲインの場合など）干渉推定を伴わずに、のいずれかで基づき得る。
【００６０】
端末デバイス２００には、ビームリンク障害についての様々な種類のトリガ条件が設定され得る。上述のように、ビームリンク障害についてのトリガ条件は、ブロック誤り率しきい値に関して与えられ得る。ブロック誤り率しきい値は、ネットワークノード１７０ａからの（第３世代パートナーシッププロジェクト（３ＧＰＰ）内で規格化されたＬｏｎｇ  Ｔｅｒｍ  Ｅｖｏｌｕｔｉｏｎ、ＬＴＥにおいて規定されたＰＤＣＣＨなどの）物理ダウンリンク制御チャネルの無線デバイス２００における受信のブロック誤り率に関係し得る。
【００６１】
この点において、端末デバイス２００は、ネットワークノード１７０ａとの通信中にＰＤＣＣＨを必ずしも受信する必要があるとは限らない。物理ダウンリンク制御チャネルの無線デバイス２００における上記で言及された受信は、したがって、仮説的受信と見なされるべきである。より詳細には、端末デバイス２００が物理ダウンリンク制御チャネルを受信することの代わりに、端末デバイス２００は、品質尺度が、直接または変換を介してのいずれかで、物理ダウンリンク制御チャネルのブロック誤り率しきい値と比較され得る、何らかの他の信号またはチャネルを受信する。したがって、端末デバイス２００は、いくつかの態様では、現在のビームペアリンク１８０ａについての推定された性能をブロック誤り率値に変換する。したがって、一実施形態によれば、現在のビームペアリンク１８０ａについての推定された性能は、ブロック誤り率値に対応する。現在のビームペアリンク１８０ａのビームリンク障害は、その場合、現在のビームペアリンク１８０ａについてのブロック誤り率値が、ブロック誤り率しきい値を下回るときでも報告され得る。
【００６２】
次に、図４のシグナリング図を参照しながら、上記で開示された実施形態のうちの少なくともいくつかに基づく、端末デバイス２００によって実施される、代替のビームペアリンク１８０ｂへの切替えを引き起こすための１つの特定の実施形態が開示される。
【００６３】
Ｓ２０１：ネットワークノード１７０ａと端末デバイス２００とは、現在のビームペアリンク１８０ａを介して通信する。
【００６４】
Ｓ２０２：ネットワークノード１７０ａは、そのビーム１５０ａａ、１５０ａｂ中でＳＳＢを周期的に送信する（ここで、図４のシグナリング図においてＭ≧２のそのようなビーム中でのＳＳＢの送信がある）。
【００６５】
Ｓ２０３：端末デバイス２００は、ネットワークノード１７０ａによって送信されたＳＳＢに関する測定を実施し、これらの測定を使用して、少なくとも１つの代替のビームペアリンク１８０ｂについて性能を推定する。
【００６６】
Ｓ２０４：端末デバイス２００は、少なくとも１つの代替のビームペアリンク１８０ｂが、現在のビームペアリンク１８０ａよりも良好な性能を有すると推定するが、ここで、現在のビームペアリンク１８０ａの性能は、現在のビームペアリンク１８０ａのビームリンク障害についてのトリガ条件が満たされるほど悪くない。ステップＳ２０４を実装するための１つのやり方は、ステップＳ１０２を実施することである。
【００６７】
Ｓ２０５：端末デバイス２００は、ネットワークノード１７０ａにビームリンク障害回復要求を送信することによって、偽ビーム障害回復プロシージャを始動する。ビームリンク障害回復要求は、代替のビームペアリンク１８０ｂに対応するネットワークノード１７０ａのＴＲＰ１４０ａにおけるビーム１５０ａｂをネットワークノード１７０ａに暗黙的に指示する。ステップＳ２０３を実装するための１つのやり方は、ステップＳ１０４を実施することである。
【００６８】
Ｓ２０６：ネットワークノード１７０ａは、代替のビームペアリンク１８０ｂを使用して、端末デバイス２００にビーム障害要求応答をシグナリングする。ステップＳ２０５を実装するための１つのやり方は、ステップＳ１０６を実施することである。
【００６９】
Ｓ２０７：ネットワークノード１７０ａと端末デバイス２００とは、代替のビームペアリンク１８０ｂを介して通信することを開始する。
【００７０】
図５は、いくつかの機能ユニットに関して、一実施形態による端末デバイス２００の構成要素を概略的に示す。処理回路２１０は、たとえば、記憶媒体２３０の形態で（図７の場合のように）コンピュータプログラム製品７１０に記憶されたソフトウェア命令を実行することが可能な、好適な中央処理ユニット（ＣＰＵ）、マルチプロセッサ、マイクロコントローラ、デジタル信号プロセッサ（ＤＳＰ）などのうちの１つまたは複数の任意の組合せを使用して提供される。処理回路２１０はさらに、少なくとも１つの特定用途向け集積回路（ＡＳＩＣ）、またはフィールドプログラマブルゲートアレイ（ＦＰＧＡ）として提供され得る。
【００７１】
詳細には、処理回路２１０は、上記で開示されたように、端末デバイス２００に、動作またはステップのセットを実施させるように設定される。たとえば、記憶媒体２３０は動作のセットを記憶し得、処理回路２１０は、端末デバイス２００に動作のセットを実施させるために、記憶媒体２３０から動作のセットを取り出すように設定され得る。動作のセットは、実行可能な命令のセットとして提供され得る。
【００７２】
したがって、それにより、処理回路２１０は、本明細書で開示される方法を実行するように構成される。記憶媒体２３０はまた、たとえば、磁気メモリ、光メモリ、固体メモリ、さらにはリモートに搭載されるメモリのうちのいずれか単独の１つまたは組合せであり得る、永続記憶装置を備え得る。端末デバイス２００は、少なくとも、通信ネットワーク１００、１００ａ、１００ｂにおける他のエンティティ、ノード、機能、およびデバイスとの通信のために設定された、通信インターフェース２２０をさらに備え得る。したがって、通信インターフェース２２０は、アナログおよびデジタル構成要素を備える１つまたは複数の送信機および受信機を備え得る。処理回路２１０は、たとえば、データおよび制御信号を通信インターフェース２２０および記憶媒体２３０に送ることによって、データおよび報告を通信インターフェース２２０から受信することによって、ならびにデータおよび命令を記憶媒体２３０から取り出すことによって、端末デバイス２００の全般の動作を制御する。端末デバイス２００の他の構成要素、ならびに関係する機能は、本明細書で提示される概念を不明瞭にしないために省略される。
【００７３】
図６は、いくつかの機能モジュールに関して、一実施形態による端末デバイス２００の構成要素を概略的に示す。図６の端末デバイス２００は、いくつかの機能モジュール、すなわち、ステップＳ１０２を実施するように設定された推定モジュール２１０ａと、ステップＳ１０４を実施するように設定された報告モジュール２１０ｂとを備える。図６の端末デバイス２００は、ステップＳ１０６を実施するように設定された受信モジュール２１０ｃなど、いくつかの随意の機能モジュールをさらに備え得る。大まかに言えば、各機能モジュール２１０ａ〜２１０ｃは、一実施形態では、ハードウェアのみで実装され、別の実施形態では、ソフトウェアの助けをかりて実装され得、すなわち、後者の実施形態は、処理回路上で起動するとき、端末デバイス２００に、図６に関連して上述の対応するステップを実施させる、記憶媒体２３０に記憶されたコンピュータプログラム命令を有する。モジュールは、コンピュータプログラムの一部に対応するが、それらのモジュールは、その中で別個のモジュールである必要がなく、それらのモジュールがソフトウェアで実装されるやり方は、使用されるプログラミング言語に依存することも言及されるべきである。好ましくは、１つまたは複数のまたはすべての機能２１０ａ〜２１０ｃが、処理回路２１０によって、場合によっては通信インターフェース２２０および／または記憶媒体２３０と協働して実装され得る。処理回路２１０は、したがって、機能モジュール２１０ａ〜２１０ｃによって提供される命令を記憶媒体２３０からフェッチし、これらの命令を実行するように設定され、それにより、本明細書で開示される任意のステップを実施し得る。
【００７４】
端末デバイス２００の例が上記で提供された。
【００７５】
図７は、コンピュータ可読記憶媒体７３０を備えるコンピュータプログラム製品７１０の一例を示す。このコンピュータ可読記憶媒体７３０上に、コンピュータプログラム７２０が記憶され得、そのコンピュータプログラム７２０は、処理回路２１０に、ならびに通信インターフェース２２０および記憶媒体２３０など、処理回路２１０に動作可能に結合されたエンティティおよびデバイスに、本明細書で説明される実施形態による方法を実行させることができる。したがって、コンピュータプログラム７２０および／またはコンピュータプログラム製品７１０は、本明細書で開示される任意のステップを実施するための手段を提供し得る。図７の例では、コンピュータプログラム製品７１０は、ＣＤ（コンパクトディスク）またはＤＶＤ（デジタル多用途ディスク）、またはブルーレイディスクなどの光学ディスクとして示されている。コンピュータプログラム製品７１０はまた、ランダムアクセスメモリ（ＲＡＭ）、読取り専用メモリ（ＲＯＭ）、消去可能プログラマブル読取り専用メモリ（ＥＰＲＯＭ）または電気的消去可能プログラマブル読取り専用メモリ（ＥＥＰＲＯＭ）など、メモリとして、より詳細には、ＵＳＢ（ユニバーサルシリアルバス）メモリ、またはコンパクトフラッシュメモリなどのフラッシュメモリなど、外部メモリにおけるデバイスの不揮発性記憶媒体として具現化され得る。したがって、コンピュータプログラム７２０は、ここでは、示された光学ディスク上のトラックとして概略的に示されているが、コンピュータプログラム７２０は、コンピュータプログラム製品７１０に好適な任意のやり方で記憶され得る。
【００７６】
本発明の概念が、主に数個の実施形態を参照しながら上記で説明された。しかしながら、当業者によって直ちに諒解されるように、上記で開示された実施形態以外の他の実施形態が、添付の特許請求の範囲によって規定される本発明の概念の範囲内で等しく可能である。
【図１】
2021525479.tif 000003
【図２】
2021525479.tif 000004
【図３】
2021525479.tif 000005
【図４】
2021525479.tif 000006
【図５】
2021525479.tif 000007
【図６】
2021525479.tif 000008
【図７】
2021525479.tif 000009
【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
代替のビームペアリンク（１８０ｂ）への切替えを引き起こすための方法であって、前記方法が、端末デバイス（２００）によって実施され、前記端末デバイス（２００）に、ビームリンク障害についてのトリガ条件が設定され、前記方法は、
現在のビームペアリンク（１８０ａ）を介したネットワークノード（１７０ａ）との通信中に、前記通信のために前記現在のビームペアリンク（１８０ａ）の代わりに前記代替のビームペアリンク（１８０ｂ）を使用する場合、前記通信の性能がより良好であろうと推定すること（Ｓ１０２）と、
前記現在のビームペアリンク（１８０ａ）のビームリンク障害についての前記トリガ条件が満たされることなしに、前記ネットワークノード（１７０ａ）に前記現在のビームペアリンク（１８０ａ）のビームリンク障害を報告すること（Ｓ１０４）であって、それにより、前記代替のビームペアリンク（１８０ｂ）への前記切替えを引き起こす、ビームリンク障害を報告すること（Ｓ１０４）と
を含む、方法。
【請求項２】
前記ビームリンク障害が、ビーム障害回復要求において報告される、請求項１に記載の方法。
【請求項３】
前記代替のビームペアリンク（１８０ｂ）が、前記ビーム障害回復要求において識別される、請求項２に記載の方法。
【請求項４】
前記ネットワークノード（１７０ａ）から、報告された前記ビームリンク障害に対する応答を受信すること（Ｓ１０６）
をさらに含む、請求項１から３のいずれか一項に記載の方法。
【請求項５】
前記応答がビーム障害要求応答である、請求項４に記載の方法。
【請求項６】
前記応答が、前記代替のビームペアリンク（１８０ｂ）上で受信される、請求項４または５に記載の方法。
【請求項７】
前記推定することが、前記現在のビームペアリンク（１８０ａ）上で受信された少なくとも１つの第１の参照信号の第１の測定と、前記代替のビームペアリンク（１８０ｂ）上で受信された少なくとも１つの第２の参照信号の第２の測定とに基づく、請求項１から６のいずれか一項に記載の方法。
【請求項８】
各々、少なくとも１つの第１の参照信号の、少なくとも２つの第１の測定があり、各々、少なくとも１つの第２の参照信号の、少なくとも２つの第２の測定がある、請求項７に記載の方法。
【請求項９】
前記推定することが、前記少なくとも２つの第１の測定をフィルタ処理することと、前記少なくとも２つの第２の測定をフィルタ処理することとを含み、前記性能が、このように前記フィルタ処理された測定に基づく、請求項８に記載の方法。
【請求項１０】
前記フィルタ処理することが、経時的に前記測定を平均化することを含む、請求項９に記載の方法。
【請求項１１】
前記第１の参照信号が、前記現在のビームペアリンク（１８０ａ）上で受信された、チャネル状態情報参照信号であるかまたは同期信号ブロックの一部であり、前記第２の参照信号が、前記代替のビームペアリンク（１８０ｂ）上で受信された、別の同期信号ブロックの一部であるかまたは別のチャネル状態情報参照信号である、請求項７から１０のいずれか一項に記載の方法。
【請求項１２】
無線デバイス（２００）が、前記現在のビームペアリンク（１８０ａ）についての第１のビーム幅を有する第１のビーム（１６０ａ）と、前記代替のビームペアリンク（１８０ｂ）についての第２のビーム幅を有する第２のビーム（１６０ｂ）とを使用し、前記性能が、前記第１のビーム幅と前記第２のビーム幅との間の関係によってバイアスされる、請求項１から１１のいずれか一項に記載の方法。
【請求項１３】
前記無線デバイス（２００）が、所与の時間期間にわたって報告されることを許可されるビームリンク障害の数に関して制限される、請求項１から１２のいずれか一項に記載の方法。
【請求項１４】
前記性能が、参照信号受信電力、信号対雑音比、信号対干渉プラス雑音比、またはパスゲインに関して推定される、請求項１から１３のいずれか一項に記載の方法。
【請求項１５】
ビームリンク障害についての前記トリガ条件が、ブロック誤り率しきい値に関して与えられる、請求項１から１４のいずれか一項に記載の方法。
【請求項１６】
前記ブロック誤り率しきい値が、前記ネットワークノード（１７０ａ）からの物理ダウンリンク制御チャネルの前記無線デバイス（２００）における受信のブロック誤り率に関係する、請求項１５に記載の方法。
【請求項１７】
前記現在のビームペアリンク（１８０ａ）についての推定された性能が、ブロック誤り率値に対応する、請求項１から１６のいずれか一項に記載の方法。
【請求項１８】
前記現在のビームペアリンク（１８０ａ）の前記ビームリンク障害は、前記現在のビームペアリンク（１８０ａ）についての前記ブロック誤り率値が、前記ブロック誤り率しきい値を下回るときでも報告される、請求項１６または１７に記載の方法。
【請求項１９】
代替のビームペアリンク（１８０ｂ）への切替えを引き起こすための端末デバイス（２００）であって、前記端末デバイス（２００）に、ビームリンク障害についてのトリガ条件が設定され、処理回路（２１０）を備え、前記処理回路は、前記端末デバイス（２００）に、
現在のビームペアリンク（１８０ａ）を介したネットワークノード（１７０ａ）との通信中に、前記通信のために前記現在のビームペアリンク（１８０ａ）の代わりに前記代替のビームペアリンク（１８０ｂ）を使用する場合、前記通信の性能がより良好であろうと推定することと、
前記現在のビームペアリンク（１８０ａ）のビームリンク障害についての前記トリガ条件が満たされることなしに、前記ネットワークノード（１７０ａ）に前記現在のビームペアリンク（１８０ａ）のビームリンク障害を報告することであって、それにより、前記代替のビームペアリンク（１８０ｂ）への前記切替えを引き起こす、ビームリンク障害を報告することと
を行わせるように設定された、端末デバイス（２００）。
【請求項２０】
請求項２から１８のいずれか一項に記載の方法を実施するようにさらに設定された、請求項１９に記載の端末デバイス（２００）。
【請求項２１】
代替のビームペアリンク（１８０ｂ）への切替えを引き起こすためのコンピュータプログラム（７２０）であって、前記コンピュータプログラムが、コンピュータコードを備え、前記コンピュータコードは、ビームリンク障害についてのトリガ条件が設定された端末デバイス（２００）の処理回路（２１０）上で起動するとき、前記端末デバイス（２００）に、
現在のビームペアリンク（１８０ａ）を介したネットワークノード（１７０ａ）との通信中に、前記通信のために前記現在のビームペアリンク（１８０ａ）の代わりに前記代替のビームペアリンク（１８０ｂ）を使用する場合、前記通信の性能がより良好であろうと推定すること（Ｓ１０２）と、
前記現在のビームペアリンク（１８０ａ）のビームリンク障害についての前記トリガ条件が満たされることなしに、前記ネットワークノード（１７０ａ）に前記現在のビームペアリンク（１８０ａ）のビームリンク障害を報告すること（Ｓ１０４）であって、それにより、前記代替のビームペアリンク（１８０ｂ）への前記切替えを引き起こす、ビームリンク障害を報告すること（Ｓ１０４）と
を行わせる、コンピュータプログラム（７２０）。
【請求項２２】
請求項２１に記載のコンピュータプログラム（７２０）が記憶されているコンピュータ可読記憶媒体（７３０）を含む、コンピュータプログラム製品（７１０）。
【国際調査報告】
2021525479.tif 000010
2021525479.tif 000011